(57)【要約】【課題】ユーザによる煩雑な作業を要することなく、携帯端末から、ユーザの意図する画像形成装置に正確に印刷データを送信することを目的とする。【解決手段】第１の無線通信方式と、第１の無線通信方式に比べて通信可能な距離の短い第２の無線通信方式とを用いて画像形成装置と通信可能な情報処理装置であって、第２の無線通信方式により、情報処理装置の識別情報を画像形成装置に送信する第１の送信手段と、識別情報を用いて第１の無線通信方式により、画像形成装置から、識別情報に対する応答を受信する第２の受信手段と、応答を受信した場合に、第１の無線通信方式により、画像形成装置に対し、印刷データを送信する第２の送信手段とを有することを特徴とする。【選択図】図４
2016151941.tif 000002
【特許請求の範囲】
【請求項１】
第１の無線通信方式と、前記第１の無線通信に比べて通信可能な距離が短い第２の無線通信方式とを用いて画像形成装置と通信可能な情報処理装置であって、
前記第２の無線通信方式により、前記情報処理装置の識別情報を前記画像形成装置に送信する第１の送信手段と、
前記識別情報を用いて前記第１の無線通信方式により、前記画像形成装置から、前記識別情報に対する応答を受信する第２の受信手段と、
前記応答を受信した場合に、前記第１の無線通信方式により、前記画像形成装置に対し、印刷データを送信する第２の送信手段と
を有することを特徴とする情報処理装置。
【請求項２】
前記第１の送信手段は、前記識別情報に対応付けて、認証情報を前記画像形成装置に送信し、
前記第２の送信手段は、前記第１の送信手段が送信した前記認証情報と同一の認証情報を前記応答として前記第２の受信手段が受信した場合に、前記印刷データを送信することを特徴とする請求項１に記載の情報処理装置。
【請求項３】
前記応答を受信した場合に、前記第１の無線通信方式による通信中であることを示す情報を出力する出力手段をさらに有することを特徴とする請求項１又は２に記載の情報処理装置。
【請求項４】
第１の無線通信方式と、前記第１の通信方式に比べて通信可能な距離の短い第２の無線通信方式とを用いて、携帯端末と通信可能な画像形成装置であって、
前記第２の無線通信方式により、前記携帯端末の識別情報を前記携帯端末から受信する第１の受信手段と、
前記識別情報を用いて、前記第１の無線通信方式により、前記識別情報に対する応答を前記携帯端末に送信する第１の送信手段と、
前記第１の無線通信方式により、前記携帯端末から印刷データを受信する第２の受信手段と
を有することを特徴とする画像形成装置。
【請求項５】
前記第１の受信手段は、前記識別情報に対応付けて、前記携帯端末の認証情報を受信し、
前記第１の送信手段は、前記応答として、前記第１の受信手段が受信した前記認証情報と同一の認証情報を送信することを特徴とする請求項４に記載の画像形成装置。
【請求項６】
携帯端末と、前記携帯端末と第１の無線通信方式及び前記第１の無線通信方式に比べて通信可能な距離の短い第２の無線通信方式を用いて通信可能な画像形成装置と、を有する画像形成システムであって、
前記携帯端末は、
前記第２の無線通信方式により、前記携帯端末の識別情報を前記画像形成装置に送信する第１の送信手段を有し、
前記画像形成装置は、
前記第２の通信方式により、前記識別情報を受信する第１の受信手段と、
前記識別情報を用いて、前記第１の無線通信方式により、前記識別情報に対する応答を前記携帯端末に送信する第２の送信手段と
を有し、
前記携帯端末は、
前記第１の無線通信方式により前記応答を受信する第２の受信手段と、
前記応答を受信した場合に、前記第１の無線通信方式により、前記画像形成装置に対し、印刷データを送信する第３の送信手段と
をさらに有することを特徴とする画像形成システム。
【請求項７】
第１の無線通信方式と、前記第１の無線通信方式に比べて通信可能な距離の短い第２の無線通信方式とを用いて画像形成装置と通信可能な情報処理装置が実行する情報処理方法であって、
前記第２の無線通信方式により、前記情報処理装置の識別情報を前記画像形成装置に送信する第１の送信ステップと、
前記識別情報を用いて前記第１の無線通信方式により、前記画像形成装置から、前記識別情報に対する応答を受信する第２の受信ステップと、
前記応答を受信した場合に、前記第１の無線通信方式により、前記画像形成装置に対し、印刷データを送信する第２の送信ステップと
を含むことを特徴とする情報処理方法。
【請求項８】
第１の無線通信方式と、前記第１の無線通信方式に比べて通信可能な距離の短い第２の無線通信方式とを用いて、携帯端末と通信可能な画像形成装置が実行する情報処理方法であって、
前記第２の無線通信方式により、前記携帯端末の識別情報を前記携帯端末から受信する第１の受信ステップと、
前記識別情報を用いて、前記第１の無線通信方式により、前記識別情報に対する応答を前記携帯端末に送信する第１の送信ステップと、
前記第１の無線通信方式により、前記携帯端末から印刷データを受信する第２の受信ステップと
を含むことを特徴とする情報処理方法。
【請求項９】
携帯端末と、前記携帯端末と第１の無線通信方式及び前記第１の無線通信方式に比べて通信可能な距離の短い第２の無線通信方式を用いて通信可能な画像形成装置と、を有する画像形成システムが実行する情報処理方法であって、
前記携帯端末が、前記第２の無線通信方式により、前記携帯端末の識別情報を前記画像形成装置に送信する第１の送信ステップと、
前記画像形成装置が、前記第２の通信方式により、前記識別情報を受信する第１の受信ステップと、
前記画像形成装置が、前記識別情報を用いて、前記第１の無線通信方式により、前記識別情報に対する応答を前記携帯端末に送信する第２の送信ステップと、
前記携帯端末が、前記第１の無線通信方式により前記応答を受信する第２の受信ステップと、
前記携帯端末が、前記応答を受信した場合に、前記第１の無線通信方式により、前記画像形成装置に対し、印刷データを送信する第３の送信ステップと
を含むことを特徴とする情報処理方法。
【請求項１０】
第１の無線通信方式と、前記第１の無線通信方式に比べて通信可能な距離の短い第２の無線通信方式とを用いて画像形成装置と通信可能なコンピュータを、
前記第２の無線通信方式により、前記コンピュータの識別情報を前記画像形成装置に送信する第１の送信手段と、
前記識別情報を用いて前記第１の無線通信方式により、前記画像形成装置から、前記識別情報に対する応答を受信する第２の受信手段と、
前記応答を受信した場合に、前記第１の無線通信方式により、前記画像形成装置に対し、印刷データを送信する第２の送信手段と
して機能させるためのプログラム。
【請求項１１】
第１の無線通信方式と、前記第１の無線通信方式に比べて通信可能な距離の短い第２の無線通信方式とを用いて、携帯端末と通信可能なコンピュータを、
前記第２の無線通信方式により、前記コンピュータの識別情報を前記携帯端末から受信する第１の受信手段と、
前記識別情報を用いて、前記第１の無線通信方式により、前記識別情報に対する応答を前記携帯端末に送信する第１の送信手段と、
前記第１の無線通信方式により、前記携帯端末から印刷データを受信する第２の受信手段と
して機能させるためのプログラム。
【発明の詳細な説明】
【技術分野】
【０００１】
本発明は、情報処理装置、情報処理方法及びプログラムに関する。
【背景技術】
【０００２】
従来、ＭＦＰ（ＭｕｌｔｉＦｕｎｃｔｉｏｎ  Ｐｅｒｉｐｈｅｒａｌ）は、無線ＬＡＮを介して携帯端末から印刷ジョブを受信し、これを実行することができる。このように携帯端末のデータをＭＦＰに送信する場合、まずユーザが携帯端末にＭＦＰ側のＩＰアドレスを入力する。そして、携帯端末からそのＩＰアドレスを元に無線ＬＡＮにてコネクションを開始し、コネクションが成立すると、携帯端末から印刷データが送信される。また、特許文献１には、通信回路の信頼性を点検するために、同種の２つの通信経路を用いて、回線状態のアップ方向とダウン方向の均衡を点検する技術が開示されている。
【先行技術文献】
【特許文献】
【０００３】
【特許文献１】特表２００５−５２５７４４号公報
【発明の概要】
【発明が解決しようとする課題】
【０００４】
しかしながら、従来技術においては、ユーザは、ＭＦＰのＩＰアドレスを調べ、手作業でＩＰアドレスを入力する必要があるため、作業が面倒であり、また誤入力の可能性もあった。誤ったＩＰアドレスが入力された場合には、ユーザが意図しない装置に対し、印刷ジョブデータが送信されてしまうという問題もあった。
【０００５】
本発明はこのような問題点に鑑みなされたもので、ユーザによる煩雑な作業を要することなく、携帯端末から、ユーザの意図する画像形成装置に正確に印刷データを送信することを目的とする。
【課題を解決するための手段】
【０００６】
そこで、本発明は、第１の無線通信方式と、前記第１の無線通信に比べて通信可能な距離の短い第２の無線通信方式とを用いて画像形成装置と通信可能な情報処理装置であって、前記第２の無線通信方式により、前記情報処理装置の識別情報を前記画像形成装置に送信する第１の送信手段と、前記識別情報を用いて前記第１の無線通信方式により、前記画像形成装置から、前記識別情報に対する応答を受信する第２の受信手段と、前記応答を受信した場合に、前記第１の無線通信方式により、前記画像形成装置に対し、印刷データを送信する第２の送信手段とを有することを特徴とする。
【発明の効果】
【０００７】
本発明によれば、ユーザによる煩雑な作業を要することなく、携帯端末から、ユーザの意図する画像形成装置に正確に印刷データを送信することができる。
【図面の簡単な説明】
【０００８】
【図１】画像形成システムを示す図である。
【図２】ＭＦＰを示す図である。
【図３】携帯端末を示す図である。
【図４】画像形成システムの処理を示すフローチャートである。
【図５】ＮＦＣ通信待機画面の一例を示す図である。
【図６】処理の説明図である。
【図７】処理の説明図である。
【発明を実施するための形態】
【０００９】
以下、本発明の実施形態について図面に基づいて説明する。
【００１０】
図１は、本実施形態に係る画像形成システムを示す図である。画像形成システム１００は、ＭＦＰ（ＭｕｌｔｉＦｕｎｃｔｉｏｎ  Ｐｅｒｉｐｈｅｒａｌ）１１０と、携帯端末１２０とを有している。ここで、ＭＦＰ１１０は、画像形成装置の一例であり、携帯端末１２０は、情報処理装置の一例である。ＭＦＰ１１０は、例えば、ダウンロード機能、スキャン機能、ＦＡＸ機能及び印刷機能等を備える一般的な複合機である。ＭＦＰ１１０は、ユーザによる操作指示を入力する操作部１１１と、ＮＦＣ（Ｎｅａｒ  ｆｉｅｌｄ  ｃｏｍｍｕｎｉｃａｔｉｏｎ）通信部１１２と、無線ＬＡＮ通信部１１３と、を有している。ＮＦＣ通信部１１２は、操作部１１１に隣接して設けられている。
【００１１】
図２は、ＭＦＰ１１０を示す図である。ＮＦＣ通信部１１２は、ＮＦＣ通信を行う。ＮＦＣ通信部１１２は、ＮＦＣアンテナ部２０１と、ＮＦＣ−ＲＦ回路２０２を有している。ＭＦＰ１１０は、ＮＦＣアンテナ部２０１を介して携帯端末１２０とＮＦＣ通信を行う。また、ＮＦＣ−ＲＦ回路２０２には、携帯端末１２０とのＮＦＣ通信２２０によって、データが書き込まれ、ＮＦＣ−ＲＦ回路２０２は、データを保持する。無線ＬＡＮ通信部１１３は、無線ＬＡＮ通信２３０を行う。無線ＬＡＮ通信部１１３は、無線ＬＡＮアンテナ部２０３と、無線ＬＡＮ−ＲＦ回路２０４を有している。ＭＦＰ１１０は、無線ＬＡＮアンテナ部２０３、アクセスポイント２５０を介して、携帯端末１２０と無線ＬＡＮ通信を行う。無線ＬＡＮ−ＲＦ回路２０４はＵＳＢ通信によりコントローラ２１０に接続し、コントローラ２１０によって制御される。ここで、無線ＬＡＮ通信２３０は、第１の無線通信方式の一例であり、ＮＦＣ通信２２０は、第１の無線通信方式に比べて通信可能な距離の短い第２の無線通信方式の一例である。
【００１２】
操作部１１１のＣＰＵ２０５は、キーパネル２０６、ＬＣＤパネル２０７及びＮＦＣ−ＲＦ回路２０２を制御する。リーダ２０８及びプリンタ２０９は、ＵＡＲＴ通信によりコントローラ２１０に接続し、コントローラ２１０によって制御される。記憶部２１１は、ＭＦＰ１１０のＩＰアドレス等の設定情報や携帯端末１２０との通信で受信したデータ等を保存する。ここで、ＩＰアドレスは、ＭＦＰ１１０の識別情報の一例である。なお、後述するＭＦＰ１１０の機能や処理は、コントローラ２１０が記憶部２１１に格納されているプログラムを読み出し、このプログラムを実行することにより実現されるものである。
【００１３】
図３は、携帯端末１２０を示す図である。ＣＰＵ３０１は、ＲＯＭ３０２に記憶された制御プログラムを読み出して各種処理を実行する。ＲＡＭ３０３は、ＣＰＵ３０１の主メモリ、ワークエリア等の一時記憶領域として用いられる。ＨＤＤ３０４は、データや各種プログラム等各種情報を記憶する。表示部３０５は、各種情報を表示する。入力部３０６は、キーボードやマウスを有し、ユーザによる各種操作を受け付ける。ＮＦＣ通信部３０７及び無線ＬＡＮ通信部３０８は、それぞれＮＦＣ通信部１１２及び無線ＬＡＮ通信部１１３と同様である。なお、後述する携帯端末１２０の機能や処理は、ＣＰＵ３０１がＲＯＭ３０２又はＨＤＤ３０４に格納されているプログラムを読み出し、このプログラムを実行することにより実現されるものである。
【００１４】
図４は、画像形成システムの処理を示すフローチャートである。携帯端末１２０は、印刷アプリケーション（アプリ）が起動すると、本処理を開始する。そして、Ｓ４００において、携帯端末１２０のＣＰＵ３０１は、ＭＦＰ１１０とのＮＦＣ通信の通信待機の状態とする。次に、Ｓ４０１において、携帯端末１２０のＣＰＵ３０１は、表示部３０５に、ＮＦＣ通信待機画面を表示する。図５は、ＮＦＣ通信待機画面５００の一例を示す図である。ＮＦＣ通信待機画面５００には、「ＮＦＣ通信待機中です。ＮＦＣモジュールにタッチして下さい。」等、ユーザに、携帯端末１２０をＭＦＰ１１０のＮＦＣ通信部１１２に近付けるよう促す情報が表示される。
【００１５】
一方で、ＭＦＰ１１０のＮＦＣ通信部１１２は、ＬＣＤパネル２０７の下側に設けられており、ＮＦＣ通信部１１２に対応する位置に、ＮＦＣマーク５１０が設けられている。携帯端末１２０のユーザが、携帯端末１２０をＮＦＣマーク５１０に近付けると、ＭＦＰ１１０と携帯端末１２０の間のＮＦＣ通信が確立する。
【００１６】
図４に戻り、携帯端末１２０の処理に並行して、Ｓ４２０において、ＭＦＰ１１０のコントローラ２１０は、携帯端末１２０とのＮＦＣ通信の通信待機の状態とする。次に、Ｓ４２１において、コントローラ２１０は、電波を検知するまで待機し（Ｓ４２１でＮｏ）、電波を検知した場合には（Ｓ４２１でＹｅｓ）、処理をＳ４２２へ進める。Ｓ４２２において、コントローラ２１０は、ＮＦＣ通信部１１２より書込ＯＫ信号を携帯端末１２０に送信する。
【００１７】
これに対し、Ｓ４０２において、携帯端末１２０のＣＰＵ３０１は、ＮＦＣ通信でＭＦＰ１１０のＮＦＣ通信部１１２から書込ＯＫ信号を受信するまで待機する（Ｓ４０２でＮｏ）。そして、ＣＰＵ３０１は、書込ＯＫ信号を受信した場合には（Ｓ４０２でＹｅｓ）、処理をＳ４０３へ進める。Ｓ４０３において、ＣＰＵ３０１は、ＮＦＣ通信部３０７より携帯端末１２０のＩＰアドレス及びＰＩＮコードを対応付けて送信する。ここで、ＩＰアドレスは、携帯端末１２０の識別情報の一例であり、ＰＩＮコードは、認証情報の一例である。また、Ｓ４０３の処理は、識別情報及び認証情報を対応付けて画像形成装置としてのＭＦＰ１１０に送信する送信処理の一例である。なお、認証情報はＰＩＮコードに限定されるものではなく、他の例としては、携帯端末のＩＤ等でもよい。
【００１８】
次に、Ｓ４０４において、ＣＰＵ３０１は、表示部３０５に、ＮＦＣ通信中画面を表示する。図６（Ａ）は、Ｓ４０３、Ｓ４０４の処理の説明図である。Ｓ４０３の処理により、図６（Ａ）に示すように、携帯端末１２０は、ＮＦＣ通信２２０を介して、携帯端末１２０のＩＰアドレス「１７２．２４．１．３００」及びＰＩＮコード「１２３４」をＭＦＰ１１０に送信する。なお、ＰＩＮコードは、印刷アプリにより設定される。また、Ｓ４０５の処理により、携帯端末１２０の表示部３０５には、ＮＦＣ通信中画面６００が表示される。ＮＦＣ通信中画面６００には、「ＮＦＣ通信中です。タッチしたままお待ち下さい。」等、携帯端末１２０をＭＦＰ１１０のＮＦＣ通信部１１２に近付けたままの状態を維持するよう、ユーザに通知する情報が表示される。
【００１９】
これに対応し、Ｓ４２３において、ＭＦＰ１１０のコントローラ２１０は、携帯端末１２０からＩＰアドレス及びＰＩＮコードを受信する。ここで、Ｓ４２３の処理は、識別情報としてのＩＰアドレス及び認証情報としてのＰＩＮコードを対応付けて受信する受信処理の一例である。そして、コントローラ２１０は、受信したＩＰアドレス及びＰＩＮコードを、ＮＦＣ−ＲＦ回路２０２に書き込む。そして、コントローラ２１０は、書き込みが完了するまで待機し（Ｓ４２３でＮｏ）、書き込みが完了すると（Ｓ４２３でＹｅｓ）、処理をＳ４２４へ進める。
【００２０】
一方、Ｓ４０５において、携帯端末１２０のＣＰＵ３０１は、ＮＦＣ通信部１１２へのＩＰアドレス及びＰＩＮコードの書き込みが完了するまで待機し（Ｓ４０５でＮｏ）、書き込みが完了すると（４０５でＹｅｓ）、処理をＳ４０６へ進める。Ｓ４０６において、ＣＰＵ３０１は、表示部３０５に、ＮＦＣ通信完了画面を表示する。図６（Ｂ）は、Ｓ４２３、Ｓ４０６の処理の説明図である。Ｓ４２３の処理により、ＭＦＰ１１０は、図６（Ｂ）に示すように、携帯端末１２０のＩＰアドレス「１７２．２４．１．３００」及びＰＩＮコード「１２３４」をＮＦＣ−ＲＦ回路２０２へ書き込む。また、Ｓ４０６の処理により、携帯端末１２０の表示部３０５には、ＮＦＣ通信完了画面６１０が表示される。ＮＦＣ通信完了画面６１０には、「ＮＦＣ通信中完了。タッチを外しても良いです。」等、携帯端末１２０をＭＦＰ１１０のＮＦＣ通信部１１２から離してもよい旨をＭＦＰ１１０のユーザに通知する情報が表示される。
【００２１】
続いて、Ｓ４２４において、ＭＦＰ１１０のコントローラ２１０は、無線ＬＡＮ通信部１１３より無線ＬＡＮ通信を介して、携帯端末１２０に接続する。このとき、コントローラ２１０は、ＮＦＣ−ＲＦ回路２０２に書き込まれた携帯端末１２０のＩＰアドレス「１７２．２４．１．３００」を利用する。そして、コントローラ２１０は、無線ＬＡＮ通信を介して、ＰＩＮコード「１２３４」を携帯端末１２０に送信する。ここで、ＰＩＮコードは、識別情報の送信に対する応答の一例であり、Ｓ４２４の処理は、応答をＭＦＰ１１０に送信する送信処理の一例である。なお、応答は、ＭＦＰ１１０と携帯端末１２０の間の無線ＬＡＮ通信が確立したこと携帯端末１２０が認識可能な情報であればよく、ＰＩＮコードに限定されるものではない。
【００２２】
これに対し、Ｓ４０７において、携帯端末１２０のＣＰＵ３０１は、無線ＬＡＮ通信でのＰＩＮコードの受信の待機状態とし、ＰＩＮコードを受信する。ここで、Ｓ４０７の処理は、認証情報としてのＰＩＮコードを受信する受信処理の一例である。次に、Ｓ４０８において、ＣＰＵ３０１は、表示部３０５に無線ＬＡＮ接続中画面を表示する。図７（Ａ）は、Ｓ４２４、Ｓ４０８の処理の説明図である。Ｓ４２４の処理により、図７（Ａ）に示すように、ＰＩＮコード「１２３４」が無線ＬＡＮ通信２３０により、ＭＦＰ１１０に送信される。また、Ｓ４０８の処理により、携帯端末１２０の表示部３０５には、無線ＬＡＮ通信中画面７００が表示される。無線ＬＡＮ通信中画面７００には、「無線ＬＡＮ接続中」等、無線ＬＡＮ接続中である旨をＭＦＰ１１０のユーザに通知する情報が表示される。ここで、Ｓ４０８の処理は、無線ＬＡＮ通信方式による通信中であることを示す情報を出力する出力処理の一例である。なお、本実施形態においては、ＭＦＰ１１０は、無線ＬＡＮ通信方式による通信中であることを示す情報を表示することとしたが、出力形態は実施形態に限定されるものではない。他の例としては、ＭＦＰ１１０は、無線ＬＡＮ通信方式による通信中であることを示す情報を不図示のスピーカより音声出力してもよい。
【００２３】
次に、Ｓ４０９において、携帯端末１２０のＣＰＵ３０１は、ＭＦＰ１１０から受信したＰＩＮコードと、Ｓ４０３において、携帯端末１２０が送信したＰＩＮコードが一致するか否かを確認する。携帯端末１２０は、両ＰＩＮコードが一致する場合には（Ｓ４０９でＹｅｓ）、処理をＳ４１０へ進める。携帯端末１２０は、両ＰＩＮコードが一致しない場合には（Ｓ４０９でＮｏ）、処理をＳ４１２へ進める。
【００２４】
Ｓ４１０において、携帯端末１２０のＣＰＵ３０１は、表示部３０５に、無線ＬＡＮ接続完了画面を表示する。図７（Ｂ）は、無線ＬＡＮ接続完了画面７１０の一例を示す図である。無線ＬＡＮ接続完了画面７１０には、「無線ＬＡＮ接続完了。ＪＯＢを送信します。」等、無線ＬＡＮ接続が完了した旨をＭＦＰ１１０のユーザに通知する情報が表示される。次に、Ｓ４１１において、携帯端末１２０のＣＰＵ３０１は、無線ＬＡＮ通信部３０８を介して、無線ＬＡＮ通信により、印刷ジョブをＭＦＰ１１０に送信する。以上で、携帯端末１２０の処理が完了する。ここで、印刷ジョブは、印刷指示と印刷データとを含む情報である。また、Ｓ４１１の処理は、識別情報としてのＩＰアドレスの送信に対する応答として、送信済みの認証情報としてのＰＩＮコードと同一のＰＩＮコードを受信した場合に、印刷データを送信する送信処理の一例である。
【００２５】
また、Ｓ４１２において、携帯端末１２０のＣＰＵ３０１は、表示部３０５に、照合ＮＧ画面を表示し、処理を完了する。照合ＮＧ画面には、「照合ＮＧ。もう一度タッチして下さい。」等、照合に失敗したことをＭＦＰ１１０のユーザに通知する情報が表示される。
【００２６】
一方、携帯端末１２０は、Ｓ４２５において、無線ＬＡＮ通信による印刷ジョブの受信待機の状態となる。次に、Ｓ４２６において、携帯端末１２０のコントローラ２１０は、印刷ジョブを受信する。そして、コントローラ２１０は、印刷ジョブの受信を完了するまで待機し（Ｓ４２６でＮｏ）、印刷ジョブの受信が完了すると（Ｓ４２６でＹｅｓ）、処理をＳ４２７へ進める。Ｓ４２７において、携帯端末１２０のコントローラ２１０は、受信した印刷ジョブに基づいて、印刷処理を実行する。以上で、携帯端末１２０の処理が完了する。
【００２７】
以上のように、本実施形態に係る画像形成システムにおいては、通信可能な距離の異なる２つの無線通信方式を利用して、携帯端末からＭＦＰへの印刷ジョブの送信を行う。これにより、ユーザによる煩雑な作業を要することなく、携帯端末からユーザの意図するＭＦＰに正確に印刷データを送信することができる。さらに、画像形成システムは、新たなハードウェア資源を追加することなく、上記処理を実現することができるため、コスト増加を防ぐことができる。
【００２８】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００２９】
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００３０】
１００  画像形成システム
１１０  ＭＦＰ
１２０  携帯端末
１１２  ＮＦＣ通信部
１１３  無線ＬＡＮ通信部
２１０  コントローラ
３０１  ＣＰＵ
３０７  ＮＦＣ通信部
３０８  無線ＬＡＮ通信部
【図１】
2016151941.tif 000003
【図２】
2016151941.tif 000004
【図３】
2016151941.tif 000005
【図４】
2016151941.tif 000006
【図５】
2016151941.tif 000007
【図６】
2016151941.tif 000008
【図７】
2016151941.tif 000009